(57)【要約】【課題】患者空間を狭めることなく、振動の低減が可能なＭＲＩ装置１を提供する。【解決手段】  撮像空間（８）に均一磁場（７）を発生させる静磁場発生源（２ａ、２ｂ）と均一磁場（７）を補正するための第１磁性体（２ｇ）および第２磁性体（２ｈ）と、第１磁性体（２ｇ）と一体化した金属板部材を（５）有する静磁場発生装置（２）を備え、静磁場発生装置（２）の中心軸方向に関して、第１磁性体の撮像空間（８）側端部が、金属板部材（５）の撮像空間（８）側端部よりも撮像空間（８）側に配置される。【選択図】図２
2018023407.tif 000002
【特許請求の範囲】
【請求項１】
少なくとも一対の超電導コイルを有し、前記一対の超電導コイルの間に撮像空間を有する磁気共鳴イメージング装置であって、
前記超電導コイルの内径側に配置される円環状の第１磁性体と、
第１磁性体の内径側に配置される円柱状の第２磁性体と、
前記第１磁性体に固定された導電性を有する金属板部材と、
を備え、
前記金属板部材は、
前記撮像空間の中心に対する前記第１磁性体の最遠端部よりも遠い位置を含むように形成され、かつ前記超電導コイルの内径側であって前記第１磁性体の内径よりも外側に配置されていることを特徴とする磁気共鳴イメージング装置
【請求項２】
請求項１に記載の磁気共鳴イメージング装置であって、
前記金属板部材は前記第１磁性体の外径に沿うように設けられ、
前記金属板部材によって形成される円環領域の内径は、前記第１磁性体の外径よりも大きいことを特徴とする磁気共鳴イメージング装置。
【請求項３】
請求項１に記載の磁気共鳴イメージング装置であって、
前記金属板部材は前記第１磁性体の中心軸に対して円環を成すように設けられ、
前記金属板部材によって形成される円環領域の外径は、前記第１磁性体の外径よりも小さい
ことを特徴とする磁気共鳴イメージング装置。
【請求項４】
請求項２または請求項３に記載の磁気共鳴イメージング装置であって
前記金属板部材は、周回方向に少なくとも１箇所で不連続である
ことを特徴とする磁気共鳴イメージング装置。
【請求項５】
請求項１から請求項４のいずれか１項に記載の磁気共鳴イメージング装置であって、
前記金属板部材が、前記超電導コイルを格納した真空容器から独立に支持される
ことを特徴とする磁気共鳴イメージング装置。
【発明の詳細な説明】
【技術分野】
【０００１】
本発明は、静磁場発生源と磁場補正のための磁性体を備えた磁気共鳴イメージング（以下、ＭＲＩ；Ｍａｇｎｅｔｉｃ  Ｒｅｓｏｎａｎｃｅ  Ｉｍａｇｉｎｇと称す）装置に関する。
【背景技術】
【０００２】
静磁場発生源と、磁場補正のための磁性体を備えたＭＲＩ装置においては、振動によって静磁場発生源と磁性体に相対変位が生じると、均一磁場が乱れて撮像が困難となる。ＭＲＩ装置の振動低減に関する従来技術として、超電導コイルを格納する真空容器と磁極突起部の間に筒形状の非磁性良導体を設けることで、傾斜磁場発生装置の漏れ磁場を遮蔽して超電導コイルの振動を低減する技術がある（特許文献１参照）。また、磁性体と真空容器との間に支持材を配置することで、構造を補強して堅固にする技術がある（特許文献２参照）。
【先行技術文献】
【特許文献】
【０００３】
【特許文献１】特許第３７７４１４１号公報
【特許文献２】特許第４１７９５７８号公報
【発明の概要】
【発明が解決しようとする課題】
【０００４】
しかし特許文献１では、磁極突起部と超電導コイルの上下対向面がほぼ面一もしくは磁極突起部の方が対向面側に突出しており、非磁性良導体が超電導コイルの対向面側端部の一部を覆う構造となるため、非磁性良導体が磁極突起部よりも対向面側に突出する。また特許文献２でも、支持材が磁性体より対向面側にも配置されている。これらの技術では、いずれも磁性体より対向面側に構造体が配置されることとなり、患者空間が狭くなると考えられた。
【０００５】
そこで、本発明が解決しようとする課題は、患者空間を狭めることなく、磁性体の振動の低減が可能なＭＲＩ（磁気共鳴イメージング）装置を提供することにある。
【課題を解決するための手段】
【０００６】
前記課題を解決するために、本発明は様々な実施形態を含むが、その一例として「少なくとも一対の超電導コイルを有し、前記一対の超電導コイルの間に撮像空間を有する磁気共鳴イメージング装置であって、前記超電導コイルの内径側に配置される円環状の第１磁性体と、第１磁性体の内径側に配置される円柱状の第２磁性体と、前記第１磁性体に固定された非磁性かつ導電性を有する金属板部材と、を備え、前記金属板部材は、前記撮像空間の中心に対する前記第１磁性体の最遠端部よりも遠い位置を含むように形成され、かつ前記超電導コイルの内径側であって前記第１磁性体の内径よりも外側に配置されている」ことを特徴とする。
【発明の効果】
【０００７】
本発明によれば、患者空間を狭めることなく、振動に寄る静磁場発生源と磁性体の総体変位の低減が可能なＭＲＩ（磁気共鳴イメージング）装置を提供できる。
【図面の簡単な説明】
【０００８】
【図１】本発明の第１の実施形態に係るＭＲＩ（磁気共鳴イメージング）装置の概略斜視図である。
【図２】本発明の第１の実施形態に係るＭＲＩ装置の概略縦断面図である。
【図３】本発明の第１の実施形態に係るＭＲＩ装置のうち静磁場発生源と磁性体と金属板部材の概略縦断面図である。
【図４】本発明の第２の実施形態に係るＭＲＩ装置の概略縦断面図である。
【図５】本発明の第３の実施形態に係るＭＲＩ装置の上方からの概略透視図である。
【図６】本発明の第４の実施形態に係るＭＲＩ装置の概略縦断面図である。
【発明を実施するための形態】
【０００９】
静磁場発生装置は、被験者の入る空間を最大限に確保して閉塞感を和らげるために、開口部を大きくすることが望まれている。
【００１０】
静磁場発生装置、磁性体には、振動が発生する場合がある。この振動は、断層画像の劣化の原因となる場合が考えられる。特に、静磁場発生源と、磁場補正のための磁性体は、両者で均一磁場を形成しており、これらの間に相対変位が生じると均一磁場が乱れ易いため、断層画像が劣化し易い傾向がある。
【００１１】
次に、本発明の実施形態について、適宜図面を参照しながら詳細に説明する。なお、各図において、共通する部分には同一の符号を付し重複した説明を省略する。
【実施例】
【００１２】
（第１の実施形態）
図１に、本発明の第１の実施形態に係るＭＲＩ（磁気共鳴イメージング）装置１の概略斜視図を示す。図１に示すようにＭＲＩ装置１は筒状の筐体を有する。ＭＲＩ装置１は、撮像空間８を挟むように上下一対の静磁場発生装置２が対向配置され、被検体１０が寝台６に仰臥して撮像空間８に導入されても、検査者からアクセスされるための十分なガントリギャップを確保している。連結柱１７は、上下一対の静磁場発生装置２の間にもうけられ、上下一対の静磁場発生装置２をそれぞれ連結して、上下一対の静磁場発生装置２を互いに離して保持している。また、ＭＲＩ装置１は、導入された被検体１０の生体組織を構成する原子核に核磁気共鳴を起こさせるために高周波信号を照射する照射コイル４と、被検体１０から発せられる各々の信号に位置情報を与えるための傾斜磁場９を発生させる傾斜磁場発生装置３と、静磁場発生装置２が作る磁場の均一度を調整する磁性体であるシム鉄を格納したシムトレイ１２（図示せず）と、シムトレイ１２を収納するために傾斜磁場発生装置３の内部に設けられるシムトレイ穴（図示せず）と、被検体１０から発せられる信号を受信するための受信コイル２２と、被検体１０を積載する寝台６等で構成されている。
【００１３】
静磁場発生装置２は、被検体１０の生体組織を構成する原子のスピンを配向させるために、撮像空間８に均一磁場７（図２参照）を生成する。なお、均一磁場とは、撮像を実施するために十分な均一性を有する磁場を意味する。撮像空間８および均一磁場７は、この一対の静磁場発生装置２に挟まれた領域に形成される。
【００１４】
静磁場発生装置２は、発生した磁場を補正する上下一対の第１磁性体２ｇ、第２磁性体２ｈを備える。更に、均一磁場７の均一度を高めるため、シム鉄を格納するシムトレイ１２（図示せず）の他にシムコイル（図示せず）が静磁場発生装置２の撮像空間８側に設けられている。なお、シム鉄またはシムコイルのいずれか一方のみが設置されていてもよい。
【００１５】
静磁場発生装置２は、真空容器支持脚２ｆで支えられている。静磁場発生装置２は、垂直方向に沿ったｚ軸を中心軸とする円筒形状の部材である。なお、ｚ軸は垂直方向に向いていることが望ましいが、現実的な設計条件や設置条件によって垂直面に対して傾きを有していてもよい。
【００１６】
傾斜磁場発生装置３は、静磁場発生装置２と中心軸を共通とする（ｚ軸を中心軸とする）上下一対の円板形状の部材であり、一対の静磁場発生装置２の対それぞれの撮像空間８の側に配置されている。また、傾斜磁場発生装置３は、ｚ軸方向に関して複数の傾斜磁場メインコイル３ａと複数の傾斜磁場シールドコイル３ｂとが積層された構造を有する。また、傾斜磁場メインコイル３ａと傾斜磁場シールドコイル３ｂとは、ビーズやガラス繊維クロス等の積層構造を含んだレジン３ｃによって固定されている。
【００１７】
照射コイル４は、静磁場発生装置２と中心軸を共通とする（ｚ軸を中心軸とする）一対の円板形状の部材である。照射コイル４は、被検体１０の生体組織を構成する原子の原子核に核磁気共鳴を起こさせるために、高周波信号を照射する。また、受信コイル２２が、核磁気共鳴による磁気共鳴信号を受け取るために、寝台６に取り付けられている。
【００１８】
第１磁性体２ｇは、金属板部材５が固定される。金属板部材５は、第１磁性体２ｇと同じく円環状に設けられ、外径は静磁場メインコイル２ａより小さい。また、ｚ軸方向に関して、第１磁性体２ｇの撮像空間８側端部は、金属板部材５の撮像空間８側端部よりも、撮像空間８側に配置されている。ｚ軸方向に関して、金属板部材５の撮像空間８と反対側の端部は、第１磁性体２ｇの撮像空間８と反対側の端部に突出していてもよい。
【００１９】
図２は、第１の実施形態に係るＭＲＩ装置１の概略縦断面図を示す。また図３は、図２のうちｘ  ｏｒ  ｙ＞０、ｚ＞０の領域における本発明の構造を抜き出した図である。静磁場発生装置２は、複数の静磁場メインコイル２ａと、複数の静磁場シールドコイル２ｂと、静磁場メインコイル２ａと静磁場シールドコイル２ｂを冷媒と共に収納し冷却する冷却容器２ｅと、冷却容器２ｅを内包する構造を有し、真空容器２ｃから放射される輻射熱からシールドする輻射シールド板２ｄと、冷却容器２ｅと輻射シールド板２ｄとを真空環境下に収納し断熱する真空容器２ｃと、真空容器２ｃを設置床面に支持する真空容器支持脚２ｆ（図１参照）と、冷却容器２ｅと輻射シールド板２ｄを真空容器２ｃ内に断熱支持する荷重支持体（図示せず）等を有している。なお、静磁場メインコイル２ａおよび静磁場シールドコイル２ｂは共に超電導コイルである。
【００２０】
静磁場メインコイル２ａはリング形状を有しており、その中心軸はｚ軸と一致する。本実施例においては、静磁場メインコイル２ａは、ｚ軸方向に沿って複数（図３の例では２個（一対））配置されている。静磁場メインコイル２ａは、撮像空間８に、均一磁場７である静磁場を生成する。なお、静磁場メインコイル２ａは、撮像空間８以外にも、静磁場を生成し、特に、撮像空間８を中心としてｚ軸方向において、静磁場メインコイル２ａよりも遠くの位置に漏れ磁場を生成させる。静磁場シールドコイル２ｂは、この漏れ磁場の大きさを小さくすることができる。
【００２１】
静磁場シールドコイル２ｂは、リング形状を有しており、その中心軸はｚ軸と一致する。静磁場シールドコイル２ｂは、ｚ軸方向に複数（図３の例では２個（一対））配置されている。静磁場シールドコイル２ｂは、ｚ軸方向において複数個配列されている静磁場メインコイル２ａのうち両端に配置された一対の静磁場メインコイル２ａの近傍に配置されている。静磁場シールドコイル２ｂは、撮像空間８を中心としたときに、ｚ軸方向において両端に配置された一対の静磁場メインコイル２ａよりも遠くに配置されている。
【００２２】
第１磁性体２ｇ、第２磁性体２ｈは、静磁場メインコイル２ａ、２ｂが発生させた磁場を補正し、均一磁場７を形成する。第１磁性体２ｇは、ｚ軸を中心とする円環状であり、その外径は静磁場メインコイル２ａの内径より小さい。第２磁性体２ｈは、ｚ軸を中心とする円柱状であり、その外径は第１磁性体２ｇの外径より小さい。
【００２３】
金属板部材５は、第１磁性体２ｇに対して取り付けられ、取り付け位置は第１磁性体２ｇの外径に沿うような円環状の領域である。したがって、金属板部材５によって形成される円環状の領域の内径が、第１磁性体２ｇの外径よりも大きい。金属板部材５のｚ軸方向の撮像空間８側端部は、第１磁性体２ｇのｚ軸方向の撮像空間８側端部よりも、ｚ軸方向の撮像空間８と反対側に配置されている。これより、金属板部材５のｚ軸方向の撮像空間８側端部は、第１磁性体２ｇよりも撮像空間８側に突出することはない。一方、金属板部材５のｚ軸方向の撮像空間８と反対側の端部については、第１磁性体２ｇのｚ軸方向の撮像空間８と反対側の端部より突出していてもよい。
【００２４】
この金属板部材５の形状および配置関係を整理すると、次のように定義することもできる。すなわち、金属板部材５は、撮像空間８の中心に対する第１磁性体２ｇの最遠端部よりも遠い位置を含むように形成された部材である。かつ静磁場メインコイル２ａの内径側であって第１磁性体２ｇの内径よりも外側に配置されている部材である。このような形状および配置関係を取ることによって、金属板部材５は静磁場メインコイル２ａの磁場が集中する領域に設置され、後述する磁気粘性効果を効率的に得ることができる。
【００２５】
金属板部材５の材質は、主として、導電性を有するものが望ましく例えばアルミニウムや銅である。金属板部材５は周回方向に連続した一個の円環状の部材として形成される、もしくは周回方向に沿って複数の金属板部材５が並べられて円環を成すように形成されてもよい。または金属板部材５が円環を成さず、周回方向において部分的に設けられる態様でもよい。なお、金属板部材５は第１磁性体２ｇに対してボルトによる締結や、焼きばめ、接着、溶接後熱収縮による締め付けなどが考えられるが、非磁性の材質を用いることが望ましい。また、金属板部材５と第１磁性体２ｇの間には、断熱材を設けることが好ましい。
【００２６】
次に、ＭＲＩ装置１における振動の抑制について説明する。
【００２７】
撮像時には、傾斜磁場発生装置３が有する傾斜磁場メインコイル３ａと傾斜磁場シールドコイル３ｂにパルス状の電流が流れ、パルス状の傾斜磁場が発生するが、これに伴い、静磁場発生装置２を構成する真空容器２ｃ、輻射シールド板２ｄ、冷却容器２ｅ、磁性体２ｇ、２ｈなどでは、傾斜磁場発生装置３が発生させる傾斜磁場の一部（漏れ磁場）が作用することによって渦電流が生じる。この傾斜磁場に由来する渦電流と静磁場発生装置２によって生成される静磁場とがカップリングすることで、静磁場発生装置２にパルス状のローレンツ力が作用する。このローレンツ力によって静磁場発生装置２の各部材が振動する。
【００２８】
また、傾斜磁場発生装置３からパルス状の傾斜磁場が発生すると、静磁場メインコイル２ａ、２ｂに流れる直流電流や、磁性体２ｇ、２ｈの磁化電流と、傾斜磁場の一部（漏れ磁場）とのカップリングにより、静磁場メインコイル２ａ、２ｂ、磁性体２ｇ、２ｈにローレンツ力が生じ、これらの部材が振動する。
【００２９】
更に、傾斜磁場発生装置３が配置されている領域にも、静磁場発生装置２によって静磁場が生成されているため、傾斜磁場発生装置３が有する傾斜磁場メインコイル３ａと傾斜磁場シールドコイル３ｂにパルス状の電流が流れると、静磁場とのカップリングによりパルス状のローレンツ力が傾斜磁場メインコイル３ａと傾斜磁場シールドコイル３ｂに作用して、傾斜磁場発生装置３が振動する。この傾斜磁場発生装置３の振動は、傾斜磁場発生装置３を静磁場発生装置２に対して取り付けている取付部材を介して静磁場発生装置２に伝搬し、静磁場発生装置２の各部材の振動を引き起こす。
【００３０】
以上のように、撮像時には静磁場発生装置２の各部に振動が生じ、これに伴って磁場を発生させる構造（静磁場メインコイル２ａ、静磁場シールドコイル２ｂや第１磁性体２ｇ、第２磁性体２ｈ）の振動ならびに構造に誘導された渦電流（真空容器２ｃ、輻射シールド板２ｄ、冷却容器２ｅ、磁性体２ｇ、２ｈなど）によって、均一磁場７が乱れる。中でも、静磁場メインコイル２ａ、２ｂと、磁性体２ｇ、２ｈは、一体となって均一磁場７を形成するため、両者の間に振動によって相対変位が生じて位置関係が変わると、均一磁場７の乱れが大きくなり易い。特に本実施例のように、静磁場発生装置２が連結柱１７によって上下一対の磁極を連結する構成の場合、リターンヨークによって磁極が連結される場合に比べ、磁性体２ｇ、２ｈを支持する部材の剛性が小さくなり易く、静磁場メインコイル２ａ、２ｂと、磁性体２ｇ、２ｈの相対変位が生じやすいと言える。
【００３１】
本実施例で説明するＭＲＩ装置１は、第１磁性体２ｇが金属板部材５を備えていることにより、磁気粘性効果によって静磁場メインコイル２ａ、２ｂとの相対変位を抑制する作用を有するため、撮像空間８を狭めることなく、均一磁場７の乱れを抑制する効果がある。
【００３２】
磁気粘性効果とは、磁場中で導体構造が運動する際に、運動速度に比例した減衰力が作用する現象である。磁場中で運動する導体構造には、速度起電力が生じて渦電流が誘導されるが、この渦電流が磁場とカップリングしてローレンツ力を生じる。このローレンツ力は、導体構造の運動を妨げる方向に作用するため、導体構造の運動を止めようとする働きがある。このため、磁場中で振動する導体構造には、振動を減衰させる力が作用する。ＭＲＩ装置１のような強磁場を発生させる構造においては、磁気粘性効果は顕著となる。
【００３３】
以上に記した磁気粘性効果を、本実施例における作用として説明する。第１磁性体２ｇが静磁場メインコイル２ａ、静磁場シールドコイル２ｂに対して相対変位を生じようとすると、第１磁性体２ｇと一体となった金属板部材５に速度起電力による渦電流が誘導され、磁気粘性効果が生じて金属板部材５の振動が抑制され、一体となった第１磁性体２ｇの振動も抑制される。即ち、金属板部材５の第１磁性体２ｇへの設置により、静磁場メインコイル２ａ、静磁場シールドコイル２ｂと第１磁性体２ｇとの位置関係を一定に保とうとする力が作用することとなる。これにより、静磁場メインコイル２ａ、静磁場シールドコイル２ｂと第１磁性体２ｇの相対変位が抑制され、均一磁場７の乱れが抑制できる。
【００３４】
一方、本実施例における第１磁性体２ｇの撮像空間８側端部は、ｚ軸方向に関し、金属板部材５の撮像空間８側端部よりも撮像空間８側に配置されているため、金属板部材５の設置によって撮像空間８が狭められることはない。第１磁性体２ｇの配置は撮像空間８に近いほど、静磁場メインコイル２ａ、静磁場シールドコイル２ｂが作る磁気エネルギーが小さくなり均一磁場７を形成する上で効率的である。そのため、第１磁性体２ｇの撮像空間８側端部は、静磁場メインコイル２ａの撮像空間８側端部とほぼ面一、もしくは撮像空間８側に突出することが好ましい。なお、金属板部材５の撮像空間８側端部を、第１磁性体２ｇの撮像空間８側端部より突出させることは、静磁場メインコイル２ａから距離の離れたところまでを金属板部材５が含むように形成することになる。このように金属板部材５を形成することも可能だが、磁気粘性効果を効率的に得ることはできないため、物量の面から望ましくない。したがって、上述したように、金属板部材５の撮像空間８側端部が、第１磁性体２ｇの撮像空間８側端部よりも遠い位置に設置されるような本実施形態の構成が、磁気粘性効果を得るための最小限の構成と言える。
【００３５】
一方、金属板部材５は、撮像空間８と反対側の端部が第１磁性体２ｇの撮像空間８と反対側の端部より突出する、すなわち金属板部材５が撮像空間８の中心に対して第１磁性体２ｇの最遠端部よりも遠い領域を含むように形成される。これは、静磁場メインコイル２ａと距離の近い領域に金属板部材５を配置することとなるため、磁気粘性効果を効率的に得ることができ、効果的である。
【００３６】
なお、金属板部材５には渦電流が生じるため、発熱によって温度が上昇することがあるが、第１磁性体２ｇとの間に断熱材が設けられていると、熱伝導によって第１磁性体２ｇの温度が上昇することを抑制でき、第１磁性体２ｇの磁化変化による均一磁場７への影響を抑制できる。このため、金属板部材５と第１磁性体２ｇとの間に断熱材を設けることが好ましい。
【００３７】
以上のように、金属板部材５の設置によって、撮像空間８を狭めることなく、静磁場メインコイル２ａ、静磁場シールドコイル２ｂと第１磁性体２ｇとの相対変位を抑制でき、均一磁場７の乱れを抑制することができる。これにより、ＭＲＩ装置１の振動に起因する誤差磁場による画像劣化を抑制することができる。
【００３８】
（第２の実施形態）
図４に、本発明の第２の実施形態に係るＭＲＩ装置１の概略縦断面図・正面図を示す。第２の実施形態のＭＲＩ装置１は、金属板部材５が第１磁性体２ｇの中心軸（ｚ軸）に対して円環を成すように設けられている点において第１の実施形態と同様である。一方、第１の実施形態のＭＲＩ装置１と異なっている点は、金属板部材５によって形成される円環領域の外径が、第１磁性体２ｇの外径と面一もしくは小さいことである。
【００３９】
本構成によれば、第１磁性体２ｇの位置はそのままに、静磁場メインコイル２ａや静磁場シールドコイル２ｂの内径を小さくすることができ、ＭＲＩ装置１の磁気エネルギーが小さくなる。また、真空容器２ｃなどＭＲＩ装置１を構成する部材の内径を小さくすることができ、ＭＲＩ装置１の重量が低減できる。また、病院サイトにおける緊急減磁などの際には、静磁場メインコイル２ａ、静磁場シールドコイル２ｂの電流に急速な減衰（超電導コイルの場合のクエンチ）が生じるが、この際に金属板部材５に生じる渦電流を低減し、電磁力を小さくする効果もある。
【００４０】
なお、金属板部材５の撮像空間８側端部は、第１磁性体２ｇの撮像空間８側端部より突出しなければ、第１磁性体２ｇの撮像空間８と反対側の端部より撮像空間８側に配置されていてもよい。
【００４１】
（第３の実施形態）
図５に、本発明の第３の実施形態に係るＭＲＩ装置１の概略縦断面図・正面図を示す。第３の実施形態のＭＲＩ装置１が、第１、第２の実施形態のＭＲＩ装置１と異なっている点は、金属板部材５が、周回方向にスリットなどの不連続部を有している点である。
【００４２】
本構成によれば、撮像時の傾斜磁場９の一部（漏れ磁場）によって金属板部材５に誘導される渦電流が低減でき、金属板部材５の発熱による第１磁性体２ｇの温度上昇を低減できる。これにより、渦電流が作る磁場や、第１磁性体２ｇの温度上昇による磁化の変化が低減され、均一磁場７に誤差磁場となって重畳することを抑制でき、断層画像の画質を向上することができる。
【００４３】
なお、金属板部材５の周回方向の不連続部の位置は、ＭＲＩ装置１の連結柱１７に近いことが好ましい。上記不連続部は、渦電流を低減するため磁気粘性効果も弱まることとなるが、連結柱１７は、構造上ＭＲＩ装置１の振動の節となり易く、振動の小さい箇所であれば、金属板部材５への不連続部を設けても磁気粘性効果への影響は小さいためである。
【００４４】
（第４の実施形態）
図６に、本発明の第５の実施形態に係るＭＲＩ装置１の概略縦断面図・正面図を示す。第３の実施形態のＭＲＩ装置１が、第１から第３の実施形態のＭＲＩ装置１と異なっている点は、金属板部材５が、ＭＲＩ装置１の真空容器２ｃとの間に空間的にギャップを有している点である。
【００４５】
本構成によれば、第１磁性体２ｇの位置決めが、真空容器２ｃの製作精度や熱変形とは独立に実施でき、均一磁場７を作り易い利点がある。
【００４６】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。例えば、第１から第４の実施形態では、静磁場メインコイル２ａと静磁場シールドコイル２ｂとして超電導コイルを取り上げたが、これに限らない。静磁場メインコイル２ａと静磁場シールドコイル２ｂとして常電導コイルや永久磁石を用いてもよい。
【符号の説明】
【００４７】
１      磁気共鳴イメージング装置
２      静磁場発生装置
２ａ    静磁場メインコイル
２ｂ    静磁場シールドコイル
２ｃ    真空容器
２ｄ    輻射シールド板
２ｅ    冷却容器
２ｆ    真空容器支持脚
２ｇ    第１磁性体
２ｈ    第２磁性体
３      傾斜磁場発生装置
３ａ    傾斜磁場メインコイル
３ｂ    傾斜磁場シールドコイル
３ｃ    レジン
４      照射コイル
５      金属板部材
６      寝台
７      均一磁場
８      撮像空間
９      傾斜磁場
１０    被検体
１２    シムトレイ
１７    連結柱
２２    受信コイル
【図１】
2018023407.tif 000003
【図２】
2018023407.tif 000004
【図３】
2018023407.tif 000005
【図４】
2018023407.tif 000006
【図５】
2018023407.tif 000007
【図６】
2018023407.tif 000008